(57)【要約】【課題】下水管、排水管などの管内清掃や補修工事に際して、設置が容易であって、しかも耐圧力が高く確実な止水機能を発揮できる簡便な止水装置を提供する。【解決手段】補修すべき管路内の上流側と下流側とに止水板を設置するとともに両者間を連通する流路管を設置した止水装置において、取り付け曲板には管路内の上流側と下流側とを連通する流路管を取り付け、取り付け曲板の円周方向の終端部に打ち込み曲板を挿入し結合部材によって連結することにより取り付け曲板及び打ち込み曲板が止水パッキンを圧縮しつつ管路内周面に密着されるように構成した。【選択図】図１
2014058779.tif 000002
【特許請求の範囲】
【請求項１】
補修すべき管路内の上流側と下流側とに止水板を設置するとともに両者間を連通する流路管を設置した止水装置において、
前記管路内の上流側と下流側とに固定される止水板と、
前記管路内の円周方向に沿って配置され前記止水板を取り付ける部分を備えた取り付け曲板と、
前記取り付け曲板の円周方向の終端部に挿入される打ち込み曲板と、前記取り付け曲板と前記打ち込み曲板とを連結する結合部材と、
前記取り付け曲板および前記打ち込み板が前記管路の内周面に接する面に配置された止水パッキンとを備え、
上記取り付け曲板には前記管路内の上流側と下流側とを連通する流路管を取り付け、
前記取り付け曲板の円周方向の終端部に前記打ち込み曲板を挿入し前記結合部材によって連結することにより前記取り付け曲板及び打ち込み曲板が前記止水パッキンを圧縮しつつ前記管路内周面に密着されるように構成したことを特徴とする止水装置。
【発明の詳細な説明】
【技術分野】
【０００１】
この発明は、下水管、排水管などの管内清掃や補修工事に際して、部分的にその区域の流水を止めるための止水装置に関する。
【背景技術】
【０００２】
従来、下水管、排水管などの清掃や管内補修工事に際して、部分的に流水を止めるために各種の止水装置が提案され、またそれらを用いた各種の止水作業方法が用いられてきた。
【０００３】
そして、その区域の流水を部分的に止めることによって、その部分の流水を排出するためバイパス管を使って通過させ、その区域の下水管、排水管などの清掃や管内補修工事を行うものである。また、湖沼や海に通じる下水管、排水管などの清掃や管内補修工事の場合には、湖沼や海からの逆流を止めることによって、管内の清掃や補修工事を行っている。
【０００４】
具体的には、例えば特開２０００―２６５５３７号公報には、下水管路を共用した状態で補修工事対象区間への下水の流入を阻止可能な止水装置が開示されている。
【先行技術文献】
【特許文献】
【０００５】
【特許文献１】特開２０００―２６５５３７号公報
【発明の概要】
【発明が解決しようとする課題】
【０００６】
しかしながら、従来から使用されている装置は大掛かりであるため、装置を設置する工事に余計な工期が必要となり、また装置の製作費用が嵩むため必然的に工事費用にもその費用が反映されるので好ましくない。また、諸般の情勢による経費節減の折から費用が掛からず工期も短縮することが求められ、近年におけるこのような工事に対する諸要求には変化が生じている。
【０００７】
このような状況下において、従来のような大掛かりな装置に代えて簡便な装置によって補修工事を行うことが求められ、しかも湖沼や海に通じる下水管、排水管などの清掃や管内補修工事の場合には、水圧に対する耐圧力が高く安全を重視した工事を遂行することが求められている。即ち、少数の部品構成によって止水装置を構成するとともに、設置工事が簡単でありながら耐圧力が高く、確実な止水機能を発揮できる止水装置の開発と市場への提供が緊急の要請となっている。
【０００８】
この発明は、このような課題を解決するものであり、下水管、排水管などの管内清掃や補修工事に際して、その区域の流水を部分的に止めるものの、その部分を通過する流水についてはバイパス管を使って排出させ、その区域の下水管、排水管などの清掃や管内補修工事を行うために、設置が容易であってしかも耐圧力が高く確実な止水機能を発揮できる簡便な止水装置を提供することを目的とする。
【課題を解決するための手段】
【０００９】
上記の目的を達成するため、本発明によれば、補修すべき管路内の上流側と下流側とに止水板を設置するとともに両者間を連通する流路管を設置した止水装置において、前記管路内の上流側と下流側とに固定される止水板と、前記管路内の円周方向に沿って配置され前記止水板を取り付ける部分を備えた取り付け曲板と、前記取り付け曲板の円周方向の終端部に挿入される打ち込み曲板と、前記取り付け曲板と前記打ち込み曲板とを連結する結合部材と、前記取り付け曲板および前記打ち込み曲板が前記管路の内周面に接する面に配置された止水パッキンとを備え、前記取り付け曲板の円周方向の終端部に前記打ち込み曲板を挿入し前記結合部材によって両者を連結することにより前記取り付け曲板及び打ち込み曲板が前記止水パッキンを圧縮しつつ前記管路内周面に密着されるように構成し、上記止水板には前記管路内の上流側と下流側とを連通する流路管を取り付けた止水装置を提供できる。
【００１０】
また、実施態様として、前記管路内の円周方向に沿って配置され前記止水板を取り付ける部分を備えた取り付け曲板は、複数の部分に分割して止水装置構成できる。
【００１１】
さらに、前記管路内に固定される止水板には、運転制御用の通信線を通す連通管を設置したことを特徴とする止水装置を構成できる。
【００１２】
さらに、前記取り付け曲板および／または前記打ち込み曲板には、前記管路内に固定するためのロックボルトが配置され、両者が前記結合部材によって連結された後に前記ロックボルトによって前記管路内に固定されるように構成した止水装置を構成できる。
【発明の効果】
【００１３】
請求項１に記載の発明によれば、補修すべき管路内の上流側と下流側とに止水板を設置するとともに両者間を連通する流路管を設置した止水装置において、前記管路内の上流側と下流側とに固定される止水板と、前記管路内の円周方向に沿って配置され前記止水板を取り付ける部分を備えた取り付け曲板と、前記取り付け曲板の円周方向の終端部に挿入される打ち込み曲板と、前記取り付け曲板と前記打ち込み曲板とを連結する結合部材と、前記取り付け曲板および前記打ち込み曲板が前記管路の内周面に接する面に配置された止水パッキンとを備え、前記取り付け曲板の円周方向の終端部に前記打ち込み曲板を挿入し前記結合部材によって連結することにより前記取り付け曲板及び打ち込み曲板が前記止水パッキンを圧縮しつつ前記管路内周面に密着されるように構成し、上記止水板には前記管路内の上流側と下流側とを連通する流路管を取り付けたから、補修すべき管路内の上流側と下流側とを確実に封止し、さらに補修区域を除水して補修工事を簡便に行うことが可能となり、さらに設置工事が簡単でありながら工事区域における水圧に対しても、耐圧力が高く安全で確実な止水機能を発揮できる止水装置を提供できる。
【図面の簡単な説明】
【００１４】
【図１】この発明の実施の一形態による補修すべき管路内における要部を示す断面図である。
【図２】図１における中央部の縦方向断面図である。
【図３】この発明の実施の一形態による取り付け曲板の説明図である。
【図４】この発明の実施の一形態による打ち込み曲板の説明図である。
【図５】図１における上面から見た部分平面図である。
【図６】この発明の実施の一形態による結合部材の説明図である。
【発明を実施するための形態】
【００１５】
以下、この発明の実施の一形態を図面に基づいて説明する。図１は、この発明の実施の一形態による止水装置を清掃または補修すべき管路内に設置した状態おける要部を示す断面図である。清掃または補修すべき管路とは、例えば既設のヒューム管１であって本発明では、内径が１１００ミリメートルくらいのものを例として説明する。
【００１６】
ヒューム管１の内側には、三枚の取り付け曲板２、３、４と打ち込み曲板５とが円弧状に形成された状態で配置されている。三枚の取り付け曲板２、３、４および打ち込み曲板５は、ヒューム管１の内径に沿う円弧状の曲面２ａ、３ａ、４ａ、５ａに対して、この面と直交し中心方向に向かうフランジ部２ｂ、３ｂ、４ｂ、５ｂが溶接などにより固定されて一体に形成されている。そして、円弧状の曲面２ａ、３ａ、４ａ、５ａにはそれぞれの面ごとに少なくとも一つの孔が適宜形成され、その孔の内側にはナット２ｃ、３ｃ、４ｃ、５ｃが溶接などによって固定されている。さらに、フランジ部２ｂ、３ｂ、４ｂ、５ｂには円周方向に複数の孔が適宜配列して形成されており、この孔に合わせて円弧状の曲面側にナット２ｄ、３ｄ、４ｄ、５ｄが溶接などによって固定されている。
【００１７】
また、図３および図４に示すように、三枚の取り付け曲板２、３、４および打ち込み曲板５は、それぞれの円周方向の両端部が曲げ加工または溶接によって内径方向に向かう立ち上がり２ｅ、３ｅ、４ｅ、５ｅが形成されており、それぞれ円周方向で互いに隣り合う部分がボルトとナットによって結合されるように構成されている。図３は取り付け曲板３を、図４は打ち込み曲板５を示している。
【００１８】
ここで、打ち込み曲板５の両端で内径方向に向かう立ち上がり５ｅは、ヒューム管１の軸線方向に向かって傾斜して形成されている。つまり、図５に展開して示すように、一方（図５では上側）の幅が狭く、他方（図５では下側）の幅が広くなるように形成されている。この打ち込み曲板５の両端で内径方向に向かう立ち上がり５ｅに対向して形成される取り付け曲板２、４の内径方向に向かう立ち上がり２ｅ、４ｅもそれぞれこれに対向するように、ヒューム管１の軸線方向に向かって傾斜して形成されている。
【００１９】
また、打ち込み曲板５の両端で内径方向に向かう立ち上がり５ｅの内側には、取り付け板５ｆ、５ｆが溶接により固定されている。そして、取り付け板５ｆ、５ｆには取り付け曲板２、４と打ち込み曲板５とを連結するため、締め付けボルト６を挿入するための穴が形成され、締め付けボルト６に噛合うナットを嵌入するクボミ部５ｇが形成されている。この締め付けボルト６およびこれに噛合うナットは結合部材を構成する。
【００２０】
一方、この取り付け板５ｆ、５ｆに対向するように、取り付け曲板２、４の立ち上がり２ｅ、４ｅの内側には締め付けボルト６を挿入するための穴が形成された固定板２ｆ、４ｆが溶接によって固定されている。
【００２１】
また、三枚の取り付け曲板２、３、４および打ち込み曲板５のフランジ部２ｂ、３ｂ、４ｂ、５ｂには、上下に二分割された半円形の止水板７、８がボルト７ａ、８ａによって取り付けられる。このボルト７ａ、８ａは、三枚の取り付け曲板２、３、４および打ち込み曲板５のフランジ部２ｂ、３ｂ、４ｂ、５ｂに固定されたナット２ｄ、３ｄ、４ｄ、５ｄにそれぞれネジ締めによって結合し、止水板７、８を取り付け曲板２、３、４および打ち込み曲板５に固定する。
【００２２】
なお、図３には取り付け曲板３を、図４には打ち込み曲板５をそれぞれ示しているが、取り付け曲板２、４については個別に図示していない。そのために、ナット２ｃ、４ｃやナット２ｄ、４ｄさらに固定板２ｆ、４ｆなどが図面には示されていないが、図３に示す取り付け曲板３の各部材と同等に対応して形成されているものであるから容易に理解できる。
【００２３】
止水板７には、管路の補修期間中に上流側から下流側へバイパス管として機能し、排水を流すための流路管９が連結されている。この流路管９には図示しないが、必要に応じて排水路を開閉制御するためのバルヴなどが取り付けられる。なお、この流路管９の長さは、工事区間によって定まるが百メートルを超えることもある。
【００２４】
また、止水板８には、工事作業員との通信用または工事機器の制御用の配線を通過させるための連通管１０、１１が必要に応じて設置される。連通管１０、１１内の配線は漏水しないように図示しないが公知の方法で密閉状態を維持して設置される。また、流路管９や連通管１０、１１は、止水板７、８に溶接などで取り付けられており、工事現場への運搬に便利なように比較的短い長さで構成されている。そして、両側に形成されたフランジ部分をボルトとナットで連結し、複数個を組み合わせて所定の長さに延長して設置される。
【００２５】
二枚の止水板７、８には、中央の接合部分にＬ字状の山型鋼７ｂ、８ｂが溶接などによって固定されており、この山型鋼７ｂ、８ｂを図２に示すように、ボルトとナットにより止水パッキン１２を挟んで、締め付けることによって両者を結合する。
【００２６】
次に、本発明に係る上記構成の止水装置を、清掃または補修すべきヒューム管１内に設置する手順について説明する。既に述べたように、図面に示すのは清掃または補修すべきヒューム管１の下流側に設置する実施形態である。
【００２７】
図１および図２に示すように、三枚の取り付け曲板２、３、４および打ち込み曲板５がヒューム管１内に配置される。その際、ヒューム管１の内面には止水パッキン１２（弾力性に優れるクロロプレンゴムなどで形成される）が張られる。そして、三枚の取り付け曲板２、３、４および打ち込み曲板５は、相互に隣り合う部品ごとにそれぞれの立ち上がり２ｅ、３ｅ、４ｅ、５ｅがボルトとナットによって結合される。なお、この結合作業は仮締め付けであり、最終的な本締めは後述の作業が完了してから行われる。
【００２８】
ここで、取り付け曲板２と打ち込み曲板５および取り付け曲板４と打ち込み曲板５は、傾斜した立ち上がり２ｅと立ち上がり５ｅおよび立ち上がり４ｅと立ち上がり５ｅが、接合部に防水パッキン１２を介在してそれぞれ締め付けボルト６によって相互に傾斜面に沿って接近するように取り付けられる。
【００２９】
即ち、締め付けボルト６が固定板２ｆの孔に挿入され、さらに取り付け板５ｆの孔に挿入される。この場合に、傾斜した立ち上がり２ｅと立ち上がり５ｅにはそれぞれ細長い溝が形成されており、この溝を貫通して締め付けボルト６が取り付けられる。そして、取り付け板５ｆの孔の裏側に形成されたクボミ部５ｇに複数個のボールベアリングを嵌入したうえで、締め付けボルト６の先端にナット６ａが嵌め込まれて締め付けされる。ナット６ａはボルト６に締め付けた後は、ロックピンなどにより固定され緩まないようにされている。
【００３０】
このボルト６の締め付けによって、取り付け曲板２と打ち込み曲板５とが、相互に傾斜面に沿って接近するように取り付けられる。同様に取り付け曲板４と打ち込み曲板５は、傾斜した立ち上がり４ｅと立ち上がり５ｅが、それぞれ締め付けボルト６によって相互に傾斜面に沿って接近するように取り付けられる。
【００３１】
三枚の取り付け曲板２、３、４および打ち込み曲板５は、相互に隣り合う部品ごとにそれぞれの立ち上がり２ｅ、３ｅ、４ｅ、５ｅがボルトとナットによって結合されており、この段階でこの部分の最終的な本締めが行われる。そして、この取り付けが終わるとボルト６の基部の弛み止めナット６ｂが締められて、このナット６ｂと固定板２ｆ、４ｆとの摩擦係数が上昇するためボルト６の弛みが防止される。
【００３２】
この作業によって、打ち込み曲板５は、取り付け曲板２と取り付け曲板４との間に割り込まれ、三枚の取り付け曲板２、３、４および打ち込み曲板５がそれぞれ止水パッキン１２を圧縮しながらヒューム管１の内周面に圧接され、気密性が保たれるようになる。そして、三枚の取り付け曲板２、３、４および打ち込み曲板５の内周面に取り付けられたナット２ｃ、３ｃ、４ｃ、５ｃに、固定用のロックボルト２ｈ、３ｈ、４ｈ、５ｈを挿入して締め付けると、三枚の取り付け曲板２、３、４および打ち込み曲板５は、ヒューム管１の内面に確実に固定され、水圧変動などが生じた場合においても不用意に位置ずれを起こさないようになる。なお、ロックボルト２ｈ、４ｈは図示されていないが、ロックボルト３ｈ、５ｈと同等の作用効果を生じるように形成されている。
【００３３】
その後、取り付け曲板２、３、４および打ち込み曲板５のフランジ部２ｂ、３ｂ、４ｂ、５ｂに、ボルト７ａ、８ａおよびナット２ｄ、３ｄ、４ｄ、５ｄによって、止水パッキン１２を介して止水板７、８が取りけられる。さらに、止水板７、８は、山型鋼７ｂ、８ｂ相互間に止水パッキン１２を介してボルト・ナットにより連結される。この連結作業が完了するとボルト７ａ、８ａの本締め付けが行われて、止水パッキン１２により漏水が完全に防止できる。
【００３４】
ここで、図示した取り付け曲板２と止水板７、８とを結合した止水装置は、流路の下流側に設置した状態を示すもので、この止水装置の右側は湖沼または海などで止水板７、８には水圧が掛かっても止水機能を果たすように構成されている。即ち、この止水装置の左側に補修すべき管路の区間が繋がっている。さらに、この止水装置の左側である上流側にも同様の止水装置が設置されており、両方の止水装置の間には流路管９が連結されている。
【００３５】
なお、流路管９は、必要な長さに連結して上流側の止水板７、８間に敷設される。また、ヒューム管１内の流量が少ない場合には、上流側の上側止水板８を取り付ける必要はないが、突然の豪雨によって河川の増水が予測される恐れがあるときには取り付けるべきである。なお、連通管１０、１１は必要に応じて適宜設置すればよい。
【００３６】
このようにして止水装置が敷設されると、ヒューム管１内の流水は流路管９を通じて排出され、補修すべき管路内の上流側と下流側とを封止し、さらに補修区域を除水して清掃または補修工事を簡便に行うことが可能となる。
【００３７】
上記止水装置の設置作業は水中で行われることが多いが、そのような作業は潜水夫によって実施される。そのような作業のために、一般的にはヒューム管１の要所ごとに水面上に突出した縦坑が準備されているので、この縦坑を通じて潜水夫が管内に出入りして工事が進められる。
【００３８】
また、上流側と下流側に上記止水装置が設置されたあと、その間の作業区間を徐水しなければないが、そのような場合にもヒューム管１の要所ごとに水面上に突出した縦坑が利用され、作業員の出入りや徐水の際の空気の流通、さらには作業用の電力供給などにもこの縦坑が役立つ。
【００３９】
なお、上記実施例においては、ヒューム管内に設置する取り付け曲板２、３、４の数が三枚であるが、これに限定されず増減できることは明らかであり、さらに止水板７、８に関しても、二分割に限定されず増減できる。これらの数に関しては部品製作の難易度や、設置場所への運搬費用などに基づいて決定されるのが望ましい。
【００４０】
また、上記実施形態においては、取り付け曲板２、３、４に対して、打ち込み曲板５を上の位置に配置して取り付けているが、何れの位置関係であってもよく作業の手順によって適宜決定して進めることが望ましい。さらに、結合部材６はボルトおよびナットで構成したものに限定されず、取り付け曲板２と取り付け曲板４との間に挿入されることによって、取り付け曲板２、３、４および打ち込み曲板５を、ヒューム管１内に圧接させるように作用させる装置であれば良く、例えばスクリュージャッキなどで締め付ける方法によるものでもよい。
【００４１】
なお、本発明は上記実施形態に限定されるものではなく、本発明の技術思想の範囲内で適宜実施形態を変更して実施することができる。
【符号の説明】
【００４２】
１；ヒューム管
２、３、４；取り付け曲板
５；打ち込み曲板
６；締め付けボルト（結合部材）
７、８；止水板
９；流路管
１０、１１；連通管
１２；止水パッキン
【図１】
2014058779.tif 000003
【図２】
2014058779.tif 000004
【図３】
2014058779.tif 000005
【図４】
2014058779.tif 000006
【図５】
2014058779.tif 000007
【図６】
2014058779.tif 000008